【手続補正書】
【提出日】平成21年6月16日(2009.6.16)
【手続補正１】
【補正対象書類名】明細書
【補正対象項目名】発明の名称
【補正方法】変更
【補正の内容】
【発明の名称】電子書籍表示装置
【手続補正２】
【補正対象書類名】明細書
【補正対象項目名】０００１
【補正方法】変更
【補正の内容】
【０００１】
本発明は、電子書籍コンテンツの構造および電子書籍コンテンツの処理技術に関し、特に、電子書籍を構成する各データファイルを容易に管理できる電子書籍コンテンツを表示する電子書籍表示装置に関する。
【手続補正３】
【補正対象書類名】明細書
【補正対象項目名】０００５
【補正方法】変更
【補正の内容】
【０００５】
本発明は、上記問題点を解決するためになされたものであり、ある目的は、編集作業に要する時間を削減することが可能な電子書籍コンテンツを表示する電子書籍表示装置を提供することである。
【手続補正４】
【補正対象書類名】明細書
【補正対象項目名】０００６
【補正方法】変更
【補正の内容】
【０００６】
他の目的は、著作権の管理をより細かく行うことができ、章単位で販売することが可能な電子書籍コンテンツを表示する電子書籍表示装置を提供することである。
【手続補正５】
【補正対象書類名】明細書
【補正対象項目名】０００７
【補正方法】変更
【補正の内容】
【０００７】
さらに他の目的は、様々な表示形態に対応した電子書籍コンテンツを表示する電子書籍表示装置を提供することである。
【手続補正６】
【補正対象書類名】明細書
【補正対象項目名】０００８
【補正方法】変更
【補正の内容】
【０００８】
さらに他の目的は、電子書籍表示装置の性能に応じた表示が行える電子書籍コンテンツを表示する電子書籍表示装置を提供することである。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明のある局面に従えば、電子書籍表示装置は、電子書籍データを記憶する記憶部と、記憶部に記憶された電子書籍データを選択する書籍選択部と、電子書籍データを選択することにより、選択された電子書籍データに含まれるページデータを読み込んで、表示するページを決定するページ決定部と、読み込んだページデータにて指定されるオブジェクトを読み込むオブジェクト読込部と、読み込んだページと、読み込んだオブジェクトとを表示する表示部とを備える。
【手続補正１０】
【補正対象書類名】明細書
【補正対象項目名】００１２
【補正方法】変更
【補正の内容】
【００１２】
好ましくは、電子書籍データにはイベントデータが含まれ、電子書籍表示装置はさらに、イベントデータを読み込むイベント読込部と、読み込んだイベントデータのイベントを解析し、当該イベントのトリガ条件を検索し、当該イベントのトリガ条件を満たしているかを判定し、トリガ条件を満たしている場合は当該イベントを実行するイベント処理部とを備える。
【手続補正１１】
【補正対象書類名】明細書
【補正対象項目名】００１３
【補正方法】変更
【補正の内容】
【００１３】
さらに好ましくは、イベントデータにはオブジェクトの表示領域を指定するデータが含まれ、イベント処理部は表示領域を指定するデータを解析し、表示部は、解析された表示領域を指定するデータにより指定された領域にオブジェクトを表示する。
【手続補正１２】
【補正対象書類名】明細書
【補正対象項目名】００１４
【補正方法】変更
【補正の内容】
【００１４】
さらに好ましくは、イベント処理部は、電子書籍データの表示を中断する指示の有無を判定し、中断する指示が有る場合は電子書籍データの表示を中止し、中断する指示がない場合は、ページ移動の指示の有無を判定し、ページ移動の指示が有る場合にはページの移動を行う。
【手続補正１３】
【補正対象書類名】明細書
【補正対象項目名】００１５
【補正方法】変更
【補正の内容】
【００１５】
さらに好ましくは、ページ決定部は、ページ移動の指示が有った場合には表示するページを更新する。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】変更
【補正の内容】
【００２２】
オブジェクト読込部が、読み込んだページデータにて指定されるオブジェクトを読み込み、表示部が、読み込んだページと、読み込んだオブジェクトとを表示するので、オブジェクトの内容を書き換えるだけで、そのオブジェクトを使用している全てのページの内容を更新することが可能となる。
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】特許請求の範囲
【補正対象項目名】全文
【補正方法】変更
【補正の内容】
【特許請求の範囲】
【請求項１】
電子書籍データを記憶する記憶部と、
前記記憶部に記憶された電子書籍データを選択する書籍選択部と、
前記電子書籍データを選択することにより、選択された前記電子書籍データに含まれるページデータを読み込んで、表示するページを決定するページ決定部と、
読み込んだ前記ページデータにて指定されるオブジェクトを読み込むオブジェクト読込部と、
読み込んだ前記ページと、読み込んだ前記オブジェクトとを表示する表示部とを備える、電子書籍表示装置。
【請求項２】
前記電子書籍データにはイベントデータが含まれ、
前記電子書籍表示装置はさらに、前記イベントデータを読み込むイベント読込部と、
読み込んだ前記イベントデータのイベントを解析し、当該イベントのトリガ条件を検索し、当該イベントのトリガ条件を満たしているかを判定し、トリガ条件を満たしている場合は当該イベントを実行するイベント処理部とを備える、請求項１に記載の電子書籍表示装置。
【請求項３】
前記イベントデータには前記オブジェクトの表示領域を指定するデータが含まれ、
前記イベント処理部は前記表示領域を指定するデータを解析し、
前記表示部は、解析された前記表示領域を指定するデータにより指定された領域に前記オブジェクトを表示する、請求項２に記載の電子書籍表示装置。
【請求項４】
前記イベント処理部は、前記電子書籍データの表示を中断する指示の有無を判定し、
中断する指示が有る場合は電子書籍データの表示を中止し、
中断する指示がない場合は、ページ移動の指示の有無を判定し、
ページ移動の指示が有る場合にはページの移動を行う、請求項２または３に記載の電子書籍表示装置。
【請求項５】
前記ページ決定部は、前記ページ移動の指示が有った場合には表示するページを更新する、請求項４に記載の電子書籍表示装置。